(57)【要約】【課題】  専用の打刻用カード（ＩＤカード）を新たに用意する必要がなく、各人が所持している個人識別機能を備えている各種のカードをそのまま出退勤データの収集用に使用できると共に、上位のサーバーに接続されているいずれのタイムレコーダーからでも、各自が所持するカードを用いて出退勤データを入力できるように工夫したタイムレコーダーとタイムレコーダーシステムを提供する。【解決手段】  タイムレコーダー１に、タイムレコーダー１の動作モードをＩＤ登録モードに設定できる動作モード設定手段１Ａと、各人が所有する各種のカード１００からカードＩＤを読み取るか、又は、カードＩＤを入力するためのカードＩＤ読取り・入力手段１Ｂと、社員ＩＤ入力手段１Ｃと、サーバー５０への送受信を行う外部通信手段１Ｘを設ける。【選択図】      図１
2008112416.tif 000002
【特許請求の範囲】
【請求項１】
金融機関等で使用するカードやスポーツクラブの会員証、或いは、その他の分野で個人を識別するために使用される各種のカードを使用して出退勤データを各個人毎に収集するタイムレコーダーであって、
このタイムレコーダーには、タイムレコーダーの動作モードを出退勤データ入力モードとＩＤ登録モードのいずれかに設定することができる動作モード設定手段と、
各人が所有する上記各種のカードから各人のカードＩＤを読取るか、又は、各人のカードＩＤを直接入力するためのＩＤ読取り・入力手段と、
各人の社員ＩＤを入力することができる社員ＩＤ入力手段と、
上記各人のカードＩＤが読取り又は入力された時に、上記動作モード設定手段によってタイムレコーダーの動作モードがＩＤ登録モードに設定されている場合は、当該各人のカードＩＤと上記社員ＩＤ入力手段によって入力された社員ＩＤとを結びつけて上位のサーバーに送信する一方、上記タイムレコーダーの動作モードが出退勤データ入力モードに設定されている場合には、作成された出退勤データと上記各人のカードＩＤとを結びつけて上位のサーバーに送信する外部通信手段とが、具備されていることを特徴とするタイムレコーダー。
【請求項２】
サーバーと、このサーバーに接続された１台又は複数台のタイムレコーダーとによって構成され、各タイムレコーダーによって作成された出退勤データを上記のサーバーが収集するように構成したタイムレコーダーシステムであって、
上記のタイムレコーダーには、タイムレコーダーの動作モードを出退勤データ入力モードとＩＤ登録モードのいずれかに設定することができる動作モード設定手段と、
各人が所有する上記各種のカードから各人のカードＩＤを読取るか、又は、各人のカードＩＤを直接入力するためのＩＤ読取り・入力手段と、
各人の社員ＩＤを入力することができる社員ＩＤ入力手段と、
上記各人のカードＩＤが読取り又は入力された時に、上記動作モード設定手段によってタイムレコーダーの動作モードがＩＤ登録モードに設定されている場合は、当該各人のカードＩＤと上記社員ＩＤ入力手段によって入力された社員ＩＤとを結びつけて上位のサーバーに送信する一方、上記タイムレコーダーの動作モードが出退勤データ入力モードに設定されている場合には、作成された出退勤データと上記各人のカードＩＤとを結びつけて上位のサーバーに送信する外部通信手段とが具備され、
上記のサーバーには、上記タイムレコーダーから送られて来るカードＩＤと社員ＩＤを結びつけて記憶部にマスター登録するカードＩＤ登録及び記憶手段と、上記タイムレコーダーからカードＩＤと共に送られて来る出退勤データを、ＩＤ照合に従って検索した社員ＩＤに基づいて各社員別に記憶する勤務データ記憶手段とを具備せしめたことを特徴とするタイムレコーダーシステム。
【請求項３】
前記請求項１に記載のタイムレコーダー又は前記請求項２に記載のタイムレコーダーシステムにおいて、
前記各人が所有するカードの種別が、磁気カード、ＩＣカード、バーコードで各個人のＩＤを記録したバーコードカードのうちのいずれかのカードであることを特徴とするタイムレコーダー又はタイムレコーダーシステム。
【請求項４】
前記請求項１乃至３に記載のタイムレコーダー又はタイムレコーダーシステムにおいて、前記カードＩＤは、各カードのシリアルＮｏ．が使用されることを特徴とするタイムレコーダー又はタイムレコーダーシステム
【請求項５】
前記請求項１乃至４に記載のタイムレコーダー又はタイムレコーダーシステムにおいて、
前記タイムレコーダーへの社員ＩＤの入力が、タイムレコーダーに設けられたキー入力部からの入力操作、又は、発行済み社員証からの読取り操作に従って行われることを特徴とするタイムレコーダー又はタイムレコーダーシステム
【請求項６】
前記請求項１乃至４に記載のタイムレコーダー又はタイムレコーダーシステムにおいて、
前記タイムレコーダーへの社員ＩＤの入力が、前記サーバー内の記憶部に記憶されている社員マスター情報から社員ＩＤの一覧を取り込んで表示部に表示し、この表示された社員ＩＤ一覧から該当者を選択して行われることを特徴とするタイムレコーダー又はタイムレコーダーシステム。
【発明の詳細な説明】
【技術分野】
【０００１】
本発明は、金融機関等で使用するカードやスポーツクラブの会員証、或いは、その他の分野で個人を識別するために使用される各種のカードを使用して、出退勤データを各個人毎に収集することができるタイムレコーダーと、このタイムレコーダーを使用したタイムレコーダーシステムに関するものである。
【背景技術】
【０００２】
専用の打刻用カード（タイムカード）を各社員毎に用意する必要がなく、各社員が所有する各種の個人識別機能を備えたカードを用いて、各人の出退勤データ（勤務データ）を収集するように構成したタイムレコーダーシステムとして、従来より、特許文献１に記載されている「オンライン型タイムレコーダー」と、特許文献２に記載されている「磁気カード式タイムレコーダーシステム」が存在する。  
【０００３】
上記特許文献１には、従業員情報をＩＤカードから入力する入力部と、従業員情報と出退勤データを作成して格納する記憶部と、通信回線を介して出退勤データを処理手段に送信するオンライン型タイムレコーダーが記載されている。
【０００４】
また、上記特許文献２には、磁気カードをタイムカードとして使用し、磁気カードの各番号と社員のＩＤを結びつけてタイムレコーダーに登録することができるように構成した磁気カード式タイムレコーダーシステムが記載されている。
【特許文献１】特開平５−１１４０６４号公報
【特許文献２】特開平８−３１５２００号公報
【発明の開示】
【発明が解決しようとする課題】
【０００５】
ところが、上記特許文献１に記載のタイムレコーダーは、出退勤情報を取得するためのＩＤカードを作成して全従業員に配布するため、新システムの導入時には大量のＩＤカードを作成しなければならず、地方支店や事業所に新入社員が入社した場合には、製作後にＩＤカードの送付に時間がかかってしまう問題があった。
【０００６】
また、上記特許文献２に記載のタイムレコーダーシステムは、磁気カードの各番号と各社員のＩＤを結びつけて、タイムレコーダーのメモリー内に登録するものであって、この方法ではタイムレコーダーに大規模な記憶部が必要となり、タイムレコーダーのトラブル時には、今までに蓄積したカードＩＤと社員ＩＤを結びつけた情報を紛失してしまったり、メンテナンスの為にこれらの情報の退避処理が煩わしいといった問題があった。更に、ネットワークで結ばれた状態で各地に事業所を設けている場合は、メンテナンスの為にわざわざ出向いて行かねばならないといった問題もあった。
【０００７】
従って本発明の技術的課題は、専用の打刻用カード（ＩＤカード）を新たに用意する必要がなく、各人が所持している個人識別機能を備えている各種のカードをそのまま出退勤データの収集用に使用できると共に、上位のサーバーに接続されているいずれのタイムレコーダーからでも、各自が所持するカードを用いて出退勤データを入力できるように工夫したタイムレコーダーとタイムレコーダーシステムを提供することである。
【課題を解決するための手段】
【０００８】
（１）  上記の技術的課題を解決するために、本発明の請求項１に係るタイムレコーダーは、金融機関等で使用するカードやスポーツクラブの会員証、或いは、その他の分野で個人を識別するために使用される各種のカードを使用して出退勤データを各個人毎に収集するタイムレコーダーであって、このタイムレコーダーには、タイムレコーダーの動作モードを出退勤データ入力モードとＩＤ登録モードのいずれかに設定することができる動作モード設定手段と、各人が所有する上記各種のカードから各人のカードＩＤを読取るか、又は、各人のカードＩＤを直接入力するためのＩＤ読取り・入力手段と、各人の社員ＩＤを入力することができる社員ＩＤ入力手段と、上記各人のカードＩＤが読取り又は入力された時に、上記動作モード設定手段によってタイムレコーダーの動作モードがＩＤ登録モードに設定されている場合は、当該各人のカードＩＤと上記社員ＩＤ入力手段によって入力された社員ＩＤとを結びつけて上位のサーバーに送信する一方、上記タイムレコーダーの動作モードが出退勤データ入力モードに設定されている場合には、作成された出退勤データと上記各人のカードＩＤとを結びつけて上位のサーバーに送信する外部通信手段とが、具備されていることを特徴としている。
【０００９】
（２）  また、本発明の請求項２に係るタイムレコーダーシステムは、サーバーと、このサーバーに接続された１台又は複数台のタイムレコーダーとによって構成され、各タイムレコーダーによって作成された出退勤データを上記のサーバーが収集するように構成したタイムレコーダーシステムであって、上記のタイムレコーダーには、タイムレコーダーの動作モードを出退勤データ入力モードとＩＤ登録モードのいずれかに設定することができる動作モード設定手段と、各人が所有する上記各種のカードから各人のカードＩＤを読取るか、又は、各人のカードＩＤを直接入力するためのＩＤ読取り・入力手段と、各人の社員ＩＤを入力することができる社員ＩＤ入力手段と、上記各人のカードＩＤが読取り又は入力された時に、上記動作モード設定手段によってタイムレコーダーの動作モードがＩＤ登録モードに設定されている場合は、当該各人のカードＩＤと上記社員ＩＤ入力手段によって入力された社員ＩＤとを結びつけて上位のサーバーに送信する一方、上記タイムレコーダーの動作モードが出退勤データ入力モードに設定されている場合には、作成された出退勤データと上記各人のカードＩＤとを結びつけて上位のサーバーに送信する外部通信手段とが具備され、上記のサーバーには、上記タイムレコーダーから送られて来るカードＩＤと社員ＩＤを結びつけて記憶部にマスター登録するカードＩＤ登録及び記憶手段と、上記タイムレコーダーからカードＩＤと共に送られて来る出退勤データを、ＩＤ照合に従って検索した社員ＩＤに基づいて各社員別に記憶する勤務データ記憶手段とを具備せしめたことを特徴としている。
【００１０】
（３）  また、本発明の請求項３に係るタイムレコーダー又はタイムレコーダーシステムは、前記請求項１に記載のタイムレコーダー又は前記請求項２に記載のタイムレコーダーシステムにおいて、前記各人が所有するカードの種別が、磁気カード、ＩＣカード、バーコードで各個人のＩＤを記録したバーコードカードのうちのいずれかのカードであることを特徴としている。
【００１１】
（４）  また、本発明の請求項４に係るタイムレコーダー又はタイムレコーダーシステムは、前記請求項１乃至３に記載のタイムレコーダー又はタイムレコーダーシステムにおいて、前記カードＩＤは、各カードのシリアルＮｏ．が使用されることを特徴としている。
【００１２】
（５）  また、本発明の請求項５に係るタイムレコーダー又はタイムレコーダーシステムは、前記請求項１乃至４に記載のタイムレコーダー又はタイムレコーダーシステムにおいて、前記タイムレコーダーへの社員ＩＤの入力が、タイムレコーダーに設けられたキー入力部からの入力操作、又は、発行済み社員証からの読取り操作に従って行われることを特徴としている。
【００１３】
（６）  更に、本発明の請求項６に係るタイムレコーダー又はタイムレコーダーシステムは、前記請求項１乃至４に記載のタイムレコーダー又はタイムレコーダーシステムにおいて、前記タイムレコーダーへの社員ＩＤの入力が、前記サーバー内の記憶部に記憶されている社員マスター情報から社員ＩＤの一覧を取り込んで表示部に表示し、この表示された社員ＩＤ一覧から該当者を選択して行われることを特徴としている。
【００１４】
上記（１）で述べた請求項１に係るタイムレコーダーによれば、各人が保有するカード固有のカードＩＤと、社員番号等の社員ＩＤを、タイムレコーダーに入力することによって、双方を結びつけて上位のサーバーに送信することができるため、例えば社員ＩＤが記録されているタイムレコーダー専用のＩＤカード（社員証等）をわざわざ発行しなくても、身近にある個人識別カードを利用して、タイムレコーダーに対して出退勤情報を入力処理することができる。
【００１５】
上記（２）で述べた請求項２に係るタイムレコーダーシステムによれば、各人が保有するカード固有のＩＤと社員ＩＤを、タイムレコーダーに入力することによって上位のサーバーに送信し、これ等カードＩＤと社員ＩＤを結びつけて記憶するため、個々のタイムレコーダーにカードＩＤと社員ＩＤを結びつけて記憶させる必要がなく、従って、大きな記憶部を必要とせず、また、上位のサーバーに接続されている他のタイムレコーダーに対しても、出退勤情報を入力することを可能にする。
【００１６】
上記（３）で述べた請求項３に係るタイムレコーダー又はタイムレコーダーシステムによれば、キャッシュカードやクレジットカード等のカード類や、既に配布されて使用されている入室管理用や食堂用等のカードを、そのまま出退勤管理用のカードとして使用することを可能にする。
【００１７】
上記（４）で述べた請求項４に係るタイムレコーダー又はタイムレコーダーシステムによれば、セキュリティのための内容（番号等）が開示されないカードであったとしても、一般的にはカードのシリアルＮｏ．の読取りは可能であって、同一番号も存在しないため、このシリアルＮｏ．をカードＩＤとして用いることは好都合である。
【００１８】
上記（５）で述べた請求項５に係るタイムレコーダー又はタイムレコーダーシステムによれば、カードＩＤに結びつけるための社員ＩＤの登録を、キー入力又は社員証のいずれからでも行うことができるため、使用する上で大変便利である。尚、社員証があればそれ自体で出退勤管理ができるため、わざわざ他のカードまで使う必要はないが、身分を証明する等の目的で使用する重要な社員証は大切に保管しておき、他のカードで出退勤、入室管理、食堂に共通利用することができる。
【００１９】
上記（６）で述べた請求項６に係るタイムレコーダー又はタイムレコーダーシステムによれば、カードＩＤと社員ＩＤを結びつけるための社員ＩＤの登録方法は、少なくとも社員名と社員ＩＤの一方をタイムレコーダーの表示部に表示してその表示を選択し、カードＩＤを入力してサーバー内の記憶部に登録すればよい。従って、社員マスターに社員ＩＤが登録してあれば、社員名又は社員ＩＤを表示できるので、どの端末からでも社員の登録が可能となる。
【発明の効果】
【００２０】
上述した本発明のタイムレコーダー及びタイムレコーダーシステムによれば、タイムレコーダー専用の打刻用ＩＤカードを新たに用意する必要がなく、各人が所持している各種の個人識別機能を有するカードをそのままタイムレコーダー用に使用することができるため、カード作成の手間を省くことができる経済性を備えると共に、カードＩＤと社員ＩＤを上位のサーバー内で管理するため、サーバーに接続されているいずれのタイムレコーダーからでも、各自が所持するカードを用いて出退勤データを入力できるため、例えば、出張先の事業所や遠隔地の事業所であっても、サーバーに接続されたタイムレコーダーがあれば、出退勤情報を確実に入力できる利便性を備えている。
【発明を実施するための最良の形態】
【００２１】
以下に、上述した本発明に係るタイムレコーダー及びタイムレコーダーシステムの実施の形態を図面と共に説明すると、図１は本発明の全体を説明した構成図で、図中、１はタイムレコーダー、５０はこのタイムレコーダー１を１台又は複数台接続した上位のサーバー、１００はタイムカードの代わりに使用される各種のカードを示し、カード１００としては、例えば金融機関で使用されるカード（キャッシュカード）や、スポーツクラブ等の会員証、或いは、その他の分野で個人を識別するために使用される各種のカードが使用される。
【００２２】
上記カード１００の種別としては、例えば、図示した磁気カード、ＩＣカード（非接触式ＩＣカードを含む）、バーコードで各個人のＩＤを記録したバーコードカードが使用されるが、これ等のカードはいずれも実施の一例であって、各人のＩＤが読取り可能な状態で記録されているカードであれば、その種類や構造及び形状等は問わないものとする。
【００２３】
また、上記のタイムレコーダー１には、図示した如く、 タイムレコーダー１の動作モードを出退勤データ入力モードとＩＤ登録モードのいずれかに設定することができる動作モード設定手段１Ａと、各人が所有する上記各種のカード１００から各人のカードＩＤを読取るか、又は、各人のカードＩＤを直接キー入力するためのＩＤ読取り・入力手段１Ｂと、各人の社員ＩＤを入力することができる社員ＩＤ入力手段１Ｃが具備され、更に、上記各人のカードＩＤが読取り又は入力された時に、上記動作モード設定手段１Ａによってタイムレコーダー１の動作モードがＩＤ登録モードに設定されている場合に、当該各人のカードＩＤと社員ＩＤ入力手段１Ｃによって入力された社員ＩＤとを結びつけて上位のサーバー５０に送信する一方、上記タイムレコーダー１の動作モードが出退勤データ入力モードに設定されている場合には、取得された（作成された）出退勤データと上記各人のカードＩＤを結びつけて上位のサーバー５０に送信する外部通信手段１Ｘとが具備されている。
【００２４】
加えてタイムレコーダー１には、出勤や退勤等の勤務モードを設定する勤務モード設定手段１Ｖと、出勤とか退勤等の勤務データを取得（演算）する勤務データ取得手段１Ｗと、取得した勤務データを表示する勤務内容表示手段１Ｚが具備されている。
【００２５】
一方、上述した上位のサーバー５０には、図１に示すように上記タイムレコーダー１のＩＤ読取り・入力手段１Ｂによって読取り又は入力されて、外部通信手段１Ｘを経て送信されて来るカードＩＤと社員ＩＤを結びつけて記憶部に記憶するためのカードＩＤ登録及び記憶手段５０Ｂと、夫々カードＩＤを結びつけて記憶した全社員のＩＤをマスター登録するためのマスター登録手段５０Ａと、このマスター登録された全社員のＩＤを必要に応じて呼び出して照合することができるＩＤ照合手段５０Ｃと、収集した各人の勤務データを記憶するための勤務データ記憶手段５０Ｄ（デイリーＤＢ）が具備されている。
【００２６】
図２は、上述した本発明に係るタイムレコーダー１の構成例を示した正面図であって、本発明では前述した上位のサーバー５０を例えば会社の本社に設置し、図示したタイムレコーダー１を各職場、更には、全国各地の支店や事業所等に設置して、これ等の各タイムレコーダー１を本社のサーバー５０に通信回線を介して接続するように構成されている。
【００２７】
図２において、２はタイムレコーダー１の正面に設けたＩＣカード入力部（読取り部）、３で示した溝状部は磁気カード入力部（読取り部）、４で示した下側のキーは社員ＩＤの登録や設定に用いたり、或いは、カードを忘れた場合にＩＤコード入力用として使用するキー入力部を示す。また、このキー入力部４の右側に設けたＦ１、Ｆ２、Ｆ３の各キーは、勤務シフト入力や設定項目の選択等に使用するファンクションキー５を示し、更に、６は日付や時刻、社員ＩＤの一覧、或いは、各種のメッセージ等を表示する表示部、７は出退勤や外出、戻りの勤務区分を選択するための出退選択スイッチであって、表示部６には後述するタッチパネル入力部が組み込まれている。
【００２８】
更に図３は、上述したタイムレコーダー１の電気的構成を説明したブロック図で、図中、１０は制御部の中心を構成するＣＰＵで、このＣＰＵ１０にはＢＵＳ１１を介してシステムプログラムを格納したＲＯＭ、及び、各種のデータ類を記憶するＲＡＭとから成るメモリー１２と、インターフェイス回路１３が接続されている。また、このインターフェイス回路１３には、上述したＩＣカード入力部２、磁気カード入力部３、ファンクションキー５を含むキー入力部４、表示部６及び出退選択スイッチ７に加えて、タッチ操作によって各種のデータ類や社員ＩＤ等を入力することができるタッチパネル入力部８、時計回路９、各種の信号を音声で知らせる音声装置１０、並びに、タイムレコーダー１が生成した各社員の就業データを、上位のサーバー５０に送って収集させたり、当該サーバー５０が収集した各社員の就業データや、サーバー５０が生成したデータ類を、サーバー５０からタイムレコーダー１に取り込む外部通信手段としての外部通信回路１１が接続されていて、夫々メモリー１２に格納された制御プログラムに従って制御作動される仕組みに成っている。
【００２９】
更に上述したメモリー１２には、前記図１に記載されている動作モード設定手段１Ａと、前述した各入力部２又は３を用いて各社員ＩＤのカードＩＤの読取り及び入力を行うＩＤ読取り・入力手段１Ｂと、各入力部４又は８を用いて各人の社員ＩＤを入力操作する社員ＩＤ入力手段１Ｃと、勤務モード設定手段１Ｖと、勤務データ取得手段１Ｗと、勤務内容表示手段１Ｚ、及び、外部通信手段の夫々を実現するためのプログラムが格納されている。
【００３０】
以上の如く構成したタイムレコーダー１は、通常時は出退勤データ入力モードに設定されていて、本体上部の表示部６は液晶タッチパネル（タッチパネル入力部８）によって構成されており、図２に示す如く日付と時・分が表示されている。そして、出退勤用のカード１００を読み取ると、音声装置１０が「ピッ」と音を発して入力確認できると共に、設定時間が経過すると時刻表示画面に戻る仕組みに成っている。また、読取り不可の場合は、音声装置１０が「ピー」と長音を発するように構成されている。
【００３１】
次に、図４は上述した社員ＩＤの登録（入力）操作の手順を説明したフローチャートであって、社員ＩＤを登録するには始めのステップＳ１でタイムレコーダー１の動作モードを出退勤データ入力モードからＩＤ登録モードへ変換する操作を行う。具体的には、管理者のみが知っている暗証番号をキー入力部４を用いて「キー入力」するか、又は、「ＩＤ登録モード設定カード」をＩＣカード入力部２或いは磁気カード入力部３に読み取らせることによって、ステップＳ２に進んでＩＤ登録モードに設定される。
【００３２】
次のステップＳ３では、社員ＩＤの登録方法が決定される。即ち、社員ＩＤの入力方法には（１）キーからの入力、（２）社員証からの入力、（３）表示部６の表示画面からの入力、の３種類が存在し、キー入力の場合は、ステップＳ４でキー入力部４を操作して社員ＩＤを入力した後、ステップＳ５で確定ボタンをＯＮ操作することによって社員ＩＤの入力が完了し、ステップＳ１２に進む。
【００３３】
また、社員証による入力は、ステップＳ６で社員証をＩＣカード入力部２又は磁気カード入力部３に読み取らせることによって、入力が完了してステップＳ１２に進む。更に、表示画面からの入力は、ステップＳ７でタッチパネル入力部８の操作によってサーバー５０から図６に例示した如き社員ＩＤの一覧ＺＸをタイムレコーダー１に読み込んで、これをステップＳ８で表示部６に表示する。次いで、ステップＳ９で該当する社員名が表示されたら、ステップＳ１０でタッチパネル入力部８を操作して社員氏名を選択すると、ステップＳ１１に進んで選択した社員氏名が点滅して、社員ＩＤの入力の完了を知らせた後、ステップＳ１２に進む。
【００３４】
上述したステップＳ１２では、夫々カードＩＤを有する当該社員の各種カード１００をタイムレコーダー１に入力するための操作を行い、次いで、ステップＳ１３で上記のカードＩＤと社員ＩＤを結びつけて上記サーバー５０のカードＩＤ登録及び記憶手段５０Ｂに送信し、登録を済ませる。その後、ステップＳ１４に進んで次のカードＩＤの入力があるか否かが判定され、ある場合は前述したステップＳ３に進んで処理を繰り返し、無い場合は、ステップＳ１５のＩＤ登録モード解除、ステップＳ１６の出退勤データ入力モードへの移行、ステップＳ１７の表示部６に日時を表示、の各ステップを実行して、処理を終える。
【００３５】
次に、図５に従ってサーバー５０でのデータ格納処理のフローチャートを説明する。図５では、カードＩＤとして各カード１００のシリアルＮｏ．が使用されている。
【００３６】
始めのステップＳ２０では、タイムレコーダー１より送られて来る受信データより１データを抽出して次のステップＳ２１に進む。ステップＳ２１では、抽出したデータがカードＩＤを登録するための登録データであるか否かが判定され、登録データである場合は、ステップＳ２２に進んでサーバー５０に登録されている個人マスターより当該カードＩＤ（シリアルＮｏ．）に結びついている個人コード（社員ＩＤ）を検索して、ステップＳ２３に進む。ステップＳでは、個人マスターに該当者、即ち、入力されたシリアルＮｏ．に関連する社員ＩＤが存在するか否かが判定され、存在する場合は次のステップＳ２４に進んで、個人マスターにカードＩＤ（シリアルＮｏ．）と社員ＩＤとを関連づけて格納することにより処理を終えるが、ステップＳ２３で該当者なしと判定された場合は、ステップＳ２９に進んでエラー処理が成される。
【００３７】
一方、前記のステップＳ２１で打刻データと判定された場合は、ステップＳ２５に進んでサーバー５０の個人マスターより該当するシリアルＮｏ．が検索され、該当者ありと判断されると、ステップＳ２７に進んで個人マスターより個人コードを抽出し、次いで、ステップＳ２８に進んで勤務データ記憶手段５０Ｄ（デイリーＤＢ）に打刻データを格納して処理を終えるが、ステップＳ２６で該当者なしと判断された場合には、ステップＳ３０に進んでエラー処理が成される。
【００３８】
図７は、上記サーバー５０の個人マスターに登録されるカードＩＤの登録データフォーマットの一例を示したものである。
【図面の簡単な説明】
【００３９】
【図１】本発明の全体を説明した構成図。
【図２】本発明に係るタイムレコーダーの実施例を示した正面図。
【図３】タイムレコーダーの電気的構成を説明したブロック図。
【図４】カードＩＤの入力と登録の各処理を説明したフローチャート。
【図５】サーバーにおけるデータの登録処理の手順を説明したフローチャート。
【図６】サーバーに格納されている社員ＩＤの一覧表。
【図７】カードＩＤの登録データフォーマット。
【符号の説明】
【００４０】
１            タイムレコーダー
１Ａ          動作モード設定手段
１Ｂ          ＩＤ読取り・入力手段
１Ｃ          社員ＩＤ入力手段
１Ｘ          外部通信手段
１Ｖ          勤務モード設定手段
１Ｗ          勤務データ取得手段
１Ｚ          勤務内容表示手段
２            ＩＣカード入力部
３            磁気カード入力部
４            キー入力部
６            表示部
７            出退選択スイッチ
８            タッチパネル入力部
１０          音声装置
１１          外部通信回路
５０          サーバー
５０Ａ        マスター登録手段
５０Ｂ        カードＩＤ登録及び記憶手段
５０Ｃ        ＩＤ照合手段
５０Ｄ        勤務データ記憶手段
【図１】
2008112416.tif 000003
【図２】
2008112416.tif 000004
【図３】
2008112416.tif 000005
【図４】
2008112416.tif 000006
【図５】
2008112416.tif 000007
【図６】
2008112416.tif 000008
【図７】
2008112416.tif 000009